(57)【要約】      （修正有）【課題】ラップフイルム収容用の筐体に取付け、取外し可能に設けられるカッタであって、カッタの切れ味の向上と、耐久性とを図ったフィルム用カッタを提供する。【解決手段】ラップフイルムでなる捲装箔、又は捲装膜用の筐体１０は、両側面板１００４と前後面板１００１、１００２、底板１０００と、天板１００３と、前蓋板１００５、前蓋板舌板１００６とで形成し、前蓋板、前蓋板舌板に、着脱自在に設けられるカッタ１で、カッタは、前蓋板、前蓋板舌板に、挾持、固止されるカッタ本体と、カッタ本体に設けたサンドペーパーとでなるカッタであり、取替えが容易で、怪我が少なく、又は取扱いに注意を要しない。切り口のギザギザが残らず、美麗である。【選択図】図６
0003200627.tif 000002
【実用新案登録請求の範囲】
【請求項１】
ロールペーパー、ラップフイルム、又はキッチンペーパー、或いはトイレットペーパー、ガムテープでなる捲装箔、又は捲装膜用の方形状の筐体は、両側面板と前後面板、及び底板と、この後面板に設けた天板と、この天板に設けた前蓋板、及び／又は、この前蓋板に設けた前蓋板舌板とで形成し、この前蓋板、及び／又は、この前蓋板舌板に、着脱自在に設けられるカッタであって、
このカッタは、前記前蓋板、及び／又は、前記前蓋板舌板に、挾持、固止されるカッタ本体と、このカッタ本体に設けたサンドペーパーとで構成した捲装箔、又は捲装膜でなるフイルム用のカッタ。
【請求項２】
前記カッタ本体は、アルミ、樹脂、その他の金属か、又は紙であって、かつ耐性を備える構成とした請求項１に記載の捲装箔、又は捲装膜でなるフイルム用のカッタ。
【請求項３】
前記カッタ本体は、前記前蓋板、及び／又は、前記前蓋板舌板の表裏面に設けられる構成であり、側面視してＵ字形であって、かつその表面端部に、ガイド折曲げ片を備える構成とした請求項１に記載の捲装箔、又は捲装膜でなるフイルム用のカッタ。
【請求項４】
前記カッタ本体に設けたサンドペーパーは、このカッタ本体の外側表面の部位か、又はこの外側表面から端部に到る部位に設ける構成とした請求項１に記載の捲装箔、又は捲装膜でなるフイルム用のカッタ。
【請求項５】
サンドを、前記サンドペーパーのペーパー本体に、間欠的に設ける構成とした請求項１に記載の捲装箔、又は捲装膜でなるフイルム用のカッタ。
【請求項６】
前記サンドを、間欠的に設ける構成は、バーコード（登録商標）形式、又は歯形形状、柄形状、波形形状の如く、前記ペーパー本体に対して、略同じ面積で形成する構成とした請求項５に記載の捲装箔、又は捲装膜でなるフイルム用のカッタ。
【考案の詳細な説明】
【技術分野】
【０００１】
本考案は、筐体（ケース）に、ロールペーパー、ラップフイルム、又はキッチンペーパー、或いはトイレットペーパー、ガムテープとか、その他のテープ類（総称して、ラップフイルムとする）を収容し、ラップフイルムを、確実、かつ美麗にカット（切離し、切取り、又は切断）できるカッタ付の捲装箔、又は捲装膜でなるフイルム用のカッタに関する。
【背景技術】
【０００２】
従来、市場の捲装箔、又は捲装膜でなるフイルム用のカッタは、ノコギリ歯とか、刃（文献では、サンドペーパーがある）でなるカッタを、筐体の前面板の下端か、又は筐体の前蓋板（前面板を被る）の裏面下端等に設けた構造である。前記カッタは、ラップフイルムの切り口のガイド、及び切断刃となる。このカッタは、切り方とか（経験不足・拙速な切り方等）、切れ味低下等で、切り口がギザギザになり易く、かつ切断に支障となる。また、場合により、手、手先等の皮膚を怪我すること、又は取扱いに注意を要すること、等の危険性がある。上記に鑑み、一部に、紙製とか樹脂製の歯が採用されている。しかし、この構造でも、前述の問題を解消するには、十分でない。
【０００３】
そこで、カッタを簡易に着脱できるラップフイルム用の構造が提案されている。その一例を説明する。特開２０１０−１００３１０号公報に記載の発明であり（文献１）、前蓋板、及び／又は、前記前蓋板舌板（ラップ押え片部）に、差込み案内部を備え、かつ内外側板でなる挾持片部を着脱自在に設けるとともに、この挾持片部の外側を構成する外側板の表面（筐体の開閉式の前蓋板の外側）に、カッタ（切刃）を設ける構造である。従って、切刃の切れ味低下とか、故障時の取替えが可能となり重宝する。しかし、この文献１では、切刃が、挾持片部（内外側板）の折曲げ部位より突出した構造であり、従来と同様に、怪我とか、又は取扱いに注意を要すること、等の危険性がある。また、特開平５−２６２３５０号公報に記載の発明であり（文献２）、前記文献１と軌を一にする構造であるが、この文献２は、文献１と異なり、カッタに代えて、砥粒としたので、怪我とか、又は取扱いに注意を要すること、等の危険性が少なくなったと考えられる。しかしながら、砥粒を、耐性板（挾持片部）の先端より突出した構造としたので、怪我とか、又は取扱いに注意を要すること、等の危険性は残っている。また、文献２は、砥粒を、耐性板に間欠的に設ける構造でなく、切れ味が劣ることと、スムースな切断が望めないことが考えられる。
【０００４】
【特許文献１】特開２０１０−１００３１０号公報
【特許文献２】特開平５−２６２３５０号公報
【考案の概要】
【考案が解決しようとする課題】
【０００５】
先行文献（１）、（２）は、市場の筐体一体形カッタの改良として、筐体にカッタが着脱可能な構造を提案して、カッタの改良として、有効と思われる。例えば、カッタの有効利用に役立つと考えられる。
【０００６】
しかしながら、文献（１）、（２）は、カッタのサンドに関して、市場の筐体一体形カッタと、同じ構造を提案することから、カッタのサンドは、その役割を、十分に達成しているとは考えられず、例えば、次のような改良点が挙げられる。
【０００７】
イ）  怪我とか、又は取扱いに注意を要すること、等の危険性は残っている。
【０００８】
ロ）  切り口のギザギザが残り易く、体裁が良くない（切り口の美麗性が確保されない）こと。
【０００９】
ハ）  切断が困難視され、かつ確実な切断は望めないこと。
【課題を解決するための手段】
【００１０】
上記に鑑み、本考案では、ラップフイルム収容用の筐体に取付け、取外し可能に設けられるカッタであって、カッタのカッタ本体、及び／又は、サンドペーパーに、独自の工夫と、構造を採用することで、カッタの切れ味の向上と、耐久性とを図ることを目的とする。
【００１１】
この目的達成のために、請求項１〜６を提供する。
【考案の効果】
【００１２】
請求項１の考案は、ロールペーパー、ラップフイルム、又はキッチンペーパー、或いはトイレットペーパー、ガムテープでなる捲装箔、又は捲装膜用の方形状の筐体は、両側面板と前後面板、及び底板と、後面板に設けた天板と、天板に設けた前蓋板、及び／又は、前蓋板に設けた前蓋板舌板とで形成し、前蓋板、及び／又は、前蓋板舌板に、着脱自在に設けられるカッタ（切取り、切断）であって、
カッタは、前蓋板、及び／又は、前蓋板舌板に、挾持、固止されるカッタ本体と、カッタ本体に設けたサンドペーパーとで構成した捲装箔、又は捲装膜でなるフイルム用のカッタであり、次の特徴がある。
【００１３】
イ）  怪我とか、又は取扱いに注意を要すること、等が少なくなり、危険性が少なくなる。
【００１４】
ロ）  切り口のギザギザが残らず、体裁が良く、切り口の美麗性が確保される。
【００１５】
ハ）  切断が容易で、かつ確実な切断が望める。
【００１６】
請求項２の考案は、カッタ本体は、アルミ、樹脂、その他の金属か、又は紙であって、かつ耐性を備える構成とした捲装箔、又は捲装膜でなるフイルム用のカッタであり、その特徴は、請求項１の特徴達成にある。また、カッタ本体の素材を決定し、かつ実用に供する素材と考えられる。
【００１７】
請求項３の考案は、カッタ本体は、前蓋板、及び／又は、前蓋板舌板の表裏面に設けられる構成であり、側面視してＵ字形であって、かつ表面端部に、ガイド折曲げ片を備える構成とした捲装箔、又は捲装膜でなるフイルム用のカッタであり、その特徴は、請求項１の特徴達成にある。また、カッタ本体の構造を決定し、かつ実用に供する構造を提案できる。
【００１８】
請求項４の考案は、カッタ本体に設けたサンドペーパーは、カッタ本体の外側表面の部位か、又は外側表面から端部に到る部位に設ける構成とした捲装箔、又は捲装膜でなるフイルム用のカッタであり、その特徴は、請求項１の特徴達成にある。また、カッタ本体に設けるサンドペーパーの位置構造を決定し、かつ実用に供する構造を提案できる。
【００１９】
請求項５の考案は、サンドを、サンドペーパーのペーパー本体に、間欠的に設ける構成とした捲装箔、又は捲装膜でなるフイルム用のカッタであり、その特徴は、請求項１の特徴達成にある。また、カッタ本体に設けるサンドペーパーのサンドの構造を決定し、かつ実用に供する構造を提案できる。
【００２０】
請求項６の考案は、サンドを、間欠的に設ける構成は、バーコード（登録商標）形式、又は歯形形状、柄形状、波形形状の如く、ペーパー本体に対して、略同じ面積で形成する構成とした捲装箔、又は捲装膜でなるフイルム用のカッタであり、その特徴は、請求項５の特徴達成にある。また、カッタ本体に設けるサンドペーパーのサンドの各種形態構造を決定し、かつ実用に供する構造を提案できる。
【図面の簡単な説明】
【００２１】
【図１−１】貼付けタイプ（貼付けとする）のサンドペーパーの一例の斜視図
【図１−２】貼付けサンドペーパーの二例の斜視図
【図１−３】貼付けサンドペーパーの三例の斜視図
【図１−４】貼付けサンドペーパーの四例の斜視図
【図２−１】カッタ本体に貼付けサンドペーパーの一例を貼着した斜視図
【図２−２】カッタ本体に貼付けサンドペーパーの二例を貼着した斜視図
【図２−３】カッタ本体に貼付けサンドペーパーの三例を貼着した斜視図
【図２−４】カッタ本体に貼付けサンドペーパーの四例を貼着した斜視図
【図３−１】カッタ本体に吹付けタイプ（吹付けとする）サンドペーパーの一例を示した斜視図
【図３−２】カッタ本体に吹付けサンドペーパーの二例を示した斜視図
【図３−３】カッタ本体に吹付けサンドペーパーの三例を示した斜視図
【図３−４】カッタ本体に吹付けサンドペーパーの四例を示した斜視図
【図４】筐体の前蓋板、及び／又は、前蓋舌体に、本考案のカッタを取付け、ラップフイルムをカットする一例を示した一部省略の要部の斜視図
【図５】図４において、ラップフイルムをカットする途中の一例を示した一部省略の斜視図
【図６】本考案のカッタを、筐体の前蓋板に取付けた状態の一例を示した拡大姿図
【図７】（イ）は図６の断面図と（ロ）は図６のその他の断面図
【考案を実施するための形態】
【００２２】
以下、本考案の好ましい、各実施例を説明するが、請求項１〜６に記載の捲装箔、又は捲装膜でなるフイルム用のカッタは、本考案の好ましい一例の説明であり、各実施例とか図面に限定されない。従って、考案の趣旨の範囲において構成の一部を変更する構造とか、同じ特徴と効果を達成できる構造は、本考案の範疇である。
【００２３】
図中１はカッタで、このカッタ１は、例えば、請求項２に記載したアルミ、樹脂、その他の金属か、又は紙でなる耐性のカッタ本体２と、このカッタ本体２の一面板部２００、及び／又は、折曲げ端部２０１に設けるサンドペーパー３とで構成する。サンドペーパー３は、後述する貼付けタイプでは、接着、粘着、又は貼着等であり、固定式と、取付け、又は取外し「着脱、かつ交換式」とがある。又は後述する吹付けタイプは、吹付け一体型であるが、剥離した後の新しい吹付けも可能とする。
【００２４】
カッタ本体２は、側面視してＵ字形を呈しており、必要により、一面板部２００の端部２００ｂ（折曲げ端部２０１の反対側で、自由端）を、外側Ｘの方向に折曲げ形成する。後述するが、カッタ１は、前蓋板の裏面側、及び／又は、前蓋板舌板の裏面側への装着を容易とすること、又は前蓋板の裏面側、及び／又は、前蓋板舌板の裏面側と、前板部への接触を容易にすること、等を意図する。尚、カッタ１は、前蓋板の裏面に設け、かつ開放端より、及び／又は、前蓋板舌板の裏面に設け、かつ開放端より、それぞれ、僅か、突出することで、ラップフイルムＡのカットの容易と、皮膚の怪我を少なくする。カッタ本体２は、前蓋板、及び／又は、前蓋板舌板の折曲げ方向の寸法と、略同じ寸法を備えていることで、前蓋板等への取付け後に、離脱することがなく、安定しているとともに、前蓋板等を保護しつつ、かつ安定したカットができる。
【００２５】
また、サンドペーパー３は、図１−１〜図１−４と図２−１〜図２−４とに示した、貼付けサンドペーパー３と、図３−１〜図３−４とに示した、吹付けサンドペーパー３と、が考えられる。その基本構造は、例えば、請求項５に記載した間欠式のサンド５を設けることは同じである。
【００２６】
貼付けサンドペーパー３は、ペーパー本体３００と、ペーパー本体３００に間欠式に設けたサンド５の組合せであり、図１−１〜図１−４は、三角形状のサンド５と同形状等の例えば、三角、スリット、図柄、ロゴ、又は傾斜スリット等の隙間５ａ（低い部位、例えば、ペーパー本体３００の表面３００ａ）とで構成した、サンド形状である。このサンド５の立上部位５００、及び／又は、粒子（砥粒）５０１が刃となる。このサンドペーパー３を、カッタ本体２の一面板部２００の端部２００ｂ、及び／又は、折曲げ端部２０１に貼着し、そのサンドペーパー３のカッタ１の下側が、一面板部２００の端部２００ｂ、及び／又は、折曲げ端部２０１に位置する構造とする。尚、図示しないが、サンド５は、隙間５ａを設けず、一連の構造も可能である。
【００２７】
そして、この図１−１〜図１−４のサンドペーパー３を取付けた状態（構造）が、図２−１〜図２−４に、それぞれ示されているが、勿論、一例である。取付けは、サンドペーパー３の裏面に設けた接着層（接着糊等の手段）で取付ける。又は図示しないが、バンド、クリップ、差込式等の簡易形の支持手段も有り得る。この例では、サンドペーパー３を自由に交換できて、重宝すること、経済性があること、等の特徴がある。
【００２８】
吹付けサンドペーパー３は、サンド５をカッタ本体２に直接吹付ける構造で有り、図３−１〜図３−４に示してあり、原則として、前述のサンドペーパー３における、例えば、三角、スリット、図柄、ロゴ、又は傾斜スリット等の隙間５ａとで構成した、サンド形状である。吹付けサンドペーパー３では、隙間５ａは、カッタ本体２の表面２００ａに形成される。その他は、前述の図１−１〜図１−４と、同図２−１〜図２−４等に準ずる。この例では、吹付けであり、作業の簡便性が図れる。その他の構造は、前述の直接吹付ける構造に準ずる。図中２００２はカッタ本体２の他面板部を示す。
【００２９】
筐体１０は、素材を、例えば、一般の紙製と、図示しない恒久性のある材料とする。この筐体１０は、図６に示すように、底板１０００と、その両側を形成する後面板１００１、及び、これに対峙する前面板１００２と、天板１００３と、を折曲げ線で形成するとともに、長手方向Ｚの端部を閉塞（全部か一部を塞ぐ）する両側面板１００４とでなる。この一例では、天板１００３に折曲げ垂下した垂下板１００３ａの前面に前蓋板１００５と、この前蓋板１００５の先端に前蓋板舌板１００６とでなる前蓋板舌板１００６を形成した構造である。従って、この一例では、筐体本体１０００ａと、前蓋板舌板１００６とで筐体を構成する。また、図示しないが、恒久性の素材で筐体を形成する場合には、天板の開閉を可能とするため、後面板１００１と天板１００３とを、蝶番等により枢動可能に連結する。図６の例の如く、カッタ１は、前蓋板１００５の裏面に設け、かつカッタ１の下側端部が開放端１００５ａより、又は前蓋板舌板１００６の裏面に設け、かつカッタ１の下側端部が開放端１００６ａより、それぞれ、僅か、突出する構造（図７（イ））とか、また、図６のその他の例の如く、カッタ１は、前蓋板１００５の開放端１００５ａを囲繞し、又は前蓋板舌板１００６の開放端１００６ａを囲繞し、前側１００６ｂに、それぞれ、僅か、突出する構造（図７（ロ））とかが望ましい。尚、図示しないが、カッタ１は、前蓋板１００５の前側１００５ｂ、又は前蓋板舌板１００６の前側１００６ｂに僅かに設ける構造も可能である。
【００３０】
尚、図示しないが、前蓋板舌板１００６に切欠きを形成し、この切欠きに指を掛けて、前蓋板舌板１００６、及び／又は、前蓋板１００５の開きＹを容易とすることと、障害者や、指に障害がある人にも、容易な開きＹが図れること、等の実益が上げられる。尚、容易な開きＹをするための（指の掛かりを容易にするための）他の方法として、前蓋板舌板１００６の下辺近傍の略中央部に、掛かり用孔や、外側に突出した掛かり用突出片を設ける。この孔、突出片は、指の掛かりを容易とすることを意図する。また、孔、突出片等の形状及び大きさ等は限定されない。
【００３１】
図４、図５に示したようにして、ラップフイルムＡをカットする。たとえば、図４のように、前蓋板１００５の開放端１００５ａを（前蓋板舌板１００６の開放端１００６ａを含み、この前蓋板１００５の開放端１００５ａで説明する）開放し、ラップフイルムＡを長めに引出し、筐体１０を持った側の手の指で前蓋板１００５、及び／又は、カッタ１を押える。そして、カッタ１の下側端部が、前蓋板１００５の開放端１００５ａより突出していることを利用して、図５の如く、他の手の指で、ラップフイルムＡを、気持ち、下方に向かって引くことで、同図の如く、美麗、かつ確実にカット（切離し、切断等）できる。
【００３２】
以上の如く、本考案は、カッタ１を、全ての筐体１０に、取付け、又は取外しができる。
【００３３】
また、本考案では、前記の構成を採用することで、指に負担を与えることなく、確実かつスムースにカットできる。併せて、例えば、障害者、老人等の非健常者でも、簡易に美麗にカットできる。
【００３４】
前述した各構造は、本考案の好ましい一例の説明である。従って、本考案は上述した各実施例に限定されるものではなく、考案の趣旨の範囲において構成の一部を変更する構造とか、同じ特徴と効果を達成できる構造、等は、本考案の範疇である。
【符号の説明】
【００３５】
１  カッタ
２  カッタ本体
２００  一面板部
２００ａ  表面
２００ｂ  端部
２０１  折曲げ端部
２０２  他面板部
３  サンドペーパー
３００  ペーパー本体
３００ａ  表面
５  サンド
５ａ  隙間
５００  立上部位
５０１  粒子
１０  筐体
１０００  底板
１００１  後面板
１００２  前面板
１００３  天板
１００３ａ  垂下板
１００４  側面板
１００５  前蓋板
１００５ａ  開放端
１００５ｂ  前側
１００６  前蓋板舌板
１００６ａ  開放端
１００６ｂ  前側
Ａ  ラップフイルム
Ｘ  折曲げ方向
Ｙ  開き
Ｚ  長手方向
【図１−１】
0003200627.tif 000003
【図１−２】
0003200627.tif 000004
【図１−３】
0003200627.tif 000005
【図１−４】
0003200627.tif 000006
【図２−１】
0003200627.tif 000007
【図２−２】
0003200627.tif 000008
【図２−３】
0003200627.tif 000009
【図２−４】
0003200627.tif 000010
【図３−１】
0003200627.tif 000011
【図３−２】
0003200627.tif 000012
【図３−３】
0003200627.tif 000013
【図３−４】
0003200627.tif 000014
【図４】
0003200627.tif 000015
【図５】
0003200627.tif 000016
【図６】
0003200627.tif 000017
【図７】
0003200627.tif 000018
【手続補正書】
【提出日】平成27年8月19日(2015.8.19)
【手続補正１】
【補正対象書類名】実用新案登録請求の範囲
【補正対象項目名】全文
【補正方法】変更
【補正の内容】
【実用新案登録請求の範囲】
【請求項１】
ロールペーパー、ラップフイルム、又はキッチンペーパー、或いはトイレットペーパー、ガムテープでなる捲装箔、又は捲装膜用の方形状の筐体は、両側面板と前後面板、及び底板と、この後面板に設けた天板と、この天板に設けた前蓋板、及び／又は、この前蓋板に設けた前蓋板舌板とで形成し、この前蓋板、及び／又は、この前蓋板舌板に、着脱自在に設けられるカッタであって、
このカッタは、前記前蓋板、及び／又は、前記前蓋板舌板に、挾持、固止されるカッタ本体と、このカッタ本体の外側表面の部位か、又はこの外側表面から端部に到る部位に設けたサンドペーパーとで構成した捲装箔、又は捲装膜でなるフイルム用のカッタ。
【請求項２】
前記カッタ本体は、アルミ、樹脂、その他の金属か、又は紙であって、かつ耐性を備える構成とした請求項１に記載の捲装箔、又は捲装膜でなるフイルム用のカッタ。
【請求項３】
前記カッタ本体は、前記前蓋板、及び／又は、前記前蓋板舌板の表裏面に設けられる構成であり、側面視してＵ字形であって、かつその表面端部に、ガイド折曲げ片を備える構成とした請求項１に記載の捲装箔、又は捲装膜でなるフイルム用のカッタ。
【請求項４】
前記サンドペーパーのペーパー本体に、サンドを、間欠的に設ける構成とした請求項１に記載の捲装箔、又は捲装膜でなるフイルム用のカッタ。
【請求項５】
前記サンドを、間欠的に設ける構成は、バーコード形式、又は歯形形状、柄形状、波形形状の如く、前記ペーパー本体に対して、略同じ面積で形成する構成とした請求項４に記載の捲装箔、又は捲装膜でなるフイルム用のカッタ。
【手続補正２】
【補正対象書類名】明細書
【補正対象項目名】００１２
【補正方法】変更
【補正の内容】
【００１２】
請求項１の考案は、ロールペーパー、ラップフイルム、又はキッチンペーパー、或いはトイレットペーパー、ガムテープでなる捲装箔、又は捲装膜用の方形状の筐体は、両側面板と前後面板、及び底板と、後面板に設けた天板と、天板に設けた前蓋板、及び／又は、前蓋板に設けた前蓋板舌板とで形成し、前蓋板、及び／又は、前蓋板舌板に、着脱自在に設けられるカッタであって、
カッタは、前蓋板、及び／又は、前蓋板舌板に、挾持、固止されるカッタ本体と、カッタ本体の外側表面の部位か、又は外側表面から端部に到る部位に設けたサンドペーパーとで構成した捲装箔、又は捲装膜でなるフイルム用のカッタであり、次の特徴がある。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
請求項４の考案は、サンドペーパーのペーパー本体に、サンドを、間欠的に設ける構成とした捲装箔、又は捲装膜でなるフイルム用のカッタであり、その特徴は、請求項１の特徴達成にある。また、カッタ本体に設けるサンドペーパーのサンドの構造を決定し、かつ実用に供する構造を提案できる。
【手続補正５】
【補正対象書類名】明細書
【補正対象項目名】００２０
【補正方法】変更
【補正の内容】
【００２０】
請求項５の考案は、サンドを、間欠的に設ける構成は、バーコード形式、又は歯形形状、柄形状、波形形状の如く、ペーパー本体に対して、略同じ面積で形成する構成とした捲装箔、又は捲装膜でなるフイルム用のカッタであり、その特徴は、請求項５の特徴達成にある。また、カッタ本体に設けるサンドペーパーのサンドの各種形態構造を決定し、かつ実用に供する構造を提案できる。